(57)【要約】【課題】把手機構を天板取付時の位置に移動させることを失念して、その状態のまま天板をコンロ本体上に設置しようとした場合に、把手機構が天板取付時の位置にないことに気付き易くなり、天板が破損してしまうことを抑制することが可能な、施工性に優れたドロップイン式のガスコンロを提供する。【解決手段】把手機構１０を、枢支部２１に枢支された支軸１５を中心として、前方への横倒し姿勢と起立姿勢との間、および、起立姿勢と後方への横倒し姿勢との間で前後方向に回動させることができるように構成し、把手機構を後方への横倒し姿勢とした場合おいて、把手機構のコ字状部２０を構成する中央部１１と一対の端部１２（１２ａ、１２ｂ）のいずれもが略水平になるように構成するとともに、把手機構が後方への横倒し姿勢とされた状態におてい天板１２０をコンロ本体Ｈに取り付ける際に、コ字状部と天板とが互いに干渉するように構成する。【選択図】図８
2019190712.tif 000002
【特許請求の範囲】
【請求項１】
キッチンカウンターに設けられた開口部に落とし込んで設置されるコンロ本体と、前記コンロ本体を吊り下げ支持するための把手機構と、前記コンロ本体上に設置される天板と、前記天板上に炎口が位置するように配設されたコンロバーナと、を備えたドロップイン式のガスコンロであって、
前記把手機構は、（ａ）中央部と、前記中央部の両端側から下記延出部を介して下記支軸に接続されるように形成された一対の端部とを有するコ字状部と、（ｂ）前記一対の端部のそれぞれの先端から延出された一対の延出部と、（ｃ）前記一対の延出部のそれぞれの自由端である先端側端部に配設され、前記コ字状部を、前記延出部を介して支持する、軸方向が前記コ字状部を構成する前記中央部と略平行な一対の支軸とを備え、
前記コンロ本体は、前記一対の支軸のそれぞれを枢支する一対の枢支部を備え、
前記把手機構が、前記枢支部に枢支された前記支軸を中心として、前方への横倒し姿勢と起立姿勢との間、および、前記起立姿勢と後方への横倒し姿勢との間で前後方向に回動可能に構成され、
前記把手機構を前記後方への横倒し姿勢とした場合において、前記コ字状部を構成する前記中央部と前記一対の端部のいずれもが略水平になるように構成されているとともに、
前記把手機構が前記後方への横倒し姿勢とされた状態におてい前記天板を前記コンロ本体に取り付ける際に、前記コ字状部と前記天板とが互いに干渉するように構成されていること
を特徴とするドロップイン式のガスコンロ。
【請求項２】
前記把手機構の後方に前記コンロバーナが配設され、
前記後方への横倒し姿勢において、前記コ字状部が前記コンロバーナに当接することにより、前記把手機構が前記後方への横倒し姿勢に保持されるように構成されていること
を特徴とする請求項１記載のドロップイン式のガスコンロ。
【請求項３】
前記把手機構の、前記延出部と前記コ字状部との間には、前記前方への横倒し姿勢において前記コ字状部が前記延出部の上方に位置する態様で屈曲部が形成されていることを特徴とする請求項１または２記載のドロップイン式のガスコンロ。
【請求項４】
前記把手機構を前記前方への横倒し姿勢にした状態において、前記コンロバーナに燃料ガスを供給するためのガス供給管が前記コンロバーナに接続されたときに、平面視で前記コ字状部を構成する前記中央部と前記ガス供給管とが交差する領域において、前記中央部が前記ガス供給管よりも上方に位置するように構成されていること
を特徴とする請求項３記載のドロップイン式のガスコンロ。
【請求項５】
前記把手機構の重心が、前記屈曲部を基準として、前記延出部側に位置することを特徴とする請求項３または４記載のドロップイン式のガスコンロ。
【発明の詳細な説明】
【技術分野】
【０００１】
本発明は、ガスコンロに関し、詳しくは、キッチンカウンター（キッチン台）に設けられた開口に落とし込んで設置されるドロップイン式のガスコンロに関する。
【背景技術】
【０００２】
ガスコンロには、テーブル上に設置して使用されるテーブル式のガスコンロや、キッチンカウンターに設けられた開口に落とし込んで設置されるドロップイン式のガスコンロなどが広く用いられている。
【０００３】
そして、特許文献１には、ドロップイン式のガスコンロとして、キッチンカウンターに設けられた開口部に落とし込んで設置されコンロ本体（焜炉本体）と、コンロ本体を吊り下げ支持するための把手と、コンロ本体上に設置される天板とを備えたドロップイン式のガスコンロ（ガス焜炉）が開示されている。
【０００４】
特許文献１のドロップイン式のガスコンロにおいて、コンロ本体は、左右方向に離間して配置されたコンロバーナ（焜炉バーナ）と、コンロバーナ毎に設けられて対応するコンロバーナを支持するバーナ受け棧を備え、把手が両バーナ受け棧に架け渡されて、平面視でコンロ本体の重心位置を含む前後方向の所定の範囲内に位置するように構成されている。
【０００５】
この特許文献１のガスコンロによれば、把手を、コンロバーナを支持するためのバーナ受け棧を利用してコンロ本体に設けることができるため、把手をコンロ本体に取り付けるための取付具などを別途設ける必要がなく、ガスコンロの製造コストの増加を抑制することができるとされている。
【先行技術文献】
【特許文献】
【０００６】
【特許文献１】特開２０１５−１３７７７２号公報
【発明の概要】
【発明が解決しようとする課題】
【０００７】
ところで、特許文献１のドロップイン式のガスコンロを構成するコンロ本体をキッチンカウンターに設けられた開口部に落とし込んで設置する際には、特許文献１の図１に示されているように、把手（把手機構）を起こして（回動させて）起立姿勢とし、その状態で把手を把持してコンロ本体を吊り下げ支持し、キッチンカウンターの開口部に落とし込むことによりコンロ本体の設置が行われることになる。
【０００８】
そして、上述のようにしてコンロ本体をキッチンカウンターの開口部に落とし込んで設置した後、天板がコンロ本体上に設置されることになる。
【０００９】
ここで、特許文献１の図１に示されているように、把手を起立姿勢とした状態では、天板をコンロ本体上に設置する際に、天板と把手とが干渉して天板をコンロ本体上に設置することができないため、特許文献１の図４に示されているように、天板と把手とが干渉しないように把手を前方に倒して横倒し姿勢とした状態で、天板をコンロ本体上に設置するようにしている。
【００１０】
ところで、上述の特許文献１のドロップイン式のガスコンロの場合、把手が特許文献１の図１に示される位置（起立姿勢とした状態）から、さらに後方に回動させた場合、把手の把持部も後方に移動するが、この状態で天板をコンロ本体上に設置しようとすると、把手の把持部（把持部の水平部分）が天板と当接することになる。
【００１１】
ここで、作業者が把手の把持部（把持部の水平部分）が天板と当接したことに気付いた場合には、天板をいったん取り外し、天板と把手とが干渉しないように把手を前方に回動させて横倒し姿勢とした後、天板をコンロ本体上に設置することになるため、特に問題は生じないものと考えられる。
【００１２】
しかしながら、作業者が把手の把持部（把持部の水平部分）が天板と当接したことに気付かない場合には、把手の把持部が天板と当接した状態、つまり、把手の把持部が天板と線接触にて当接した状態で、作業者が天板をさらに押し下げて無理に天板を設置しようとするおそれがあり、この場合には、天板が破損してしまうことが懸念される。
【００１３】
本発明は、上記課題を解決するものであり、作業者が、把手機構を天板取付時の位置に移動させることを失念して、その状態のまま天板をコンロ本体上に設置しようとした場合に、把手機構が天板取付時の位置にないことに気付き易くなり、天板が破損してしまうことを抑制することが可能な、施工性に優れたドロップイン式のガスコンロを提供することを目的とする。
【課題を解決するための手段】
【００１４】
上記の目的を達成するために、本発明のドロップイン式のガスコンロは、
キッチンカウンターに設けられた開口部に落とし込んで設置されるコンロ本体と、前記コンロ本体を吊り下げ支持するための把手機構と、前記コンロ本体上に設置される天板と、前記天板上に炎口が位置するように配設されたコンロバーナと、を備えたドロップイン式のガスコンロであって、
前記把手機構は、（ａ）中央部と、前記中央部の両端側から下記延出部を介して下記支軸に接続されるように形成された一対の端部とを有するコ字状部と、（ｂ）前記一対の端部のそれぞれの先端から延出された一対の延出部と、（ｃ）前記一対の延出部のそれぞれの自由端である先端側端部に配設され、前記コ字状部を、前記延出部を介して支持する、軸方向が前記コ字状部を構成する前記中央部と略平行な一対の支軸とを備え、
前記コンロ本体は、前記一対の支軸のそれぞれを枢支する一対の枢支部を備え、
前記把手機構が、前記枢支部に枢支された前記支軸を中心として、前方への横倒し姿勢と起立姿勢との間、および、前記起立姿勢と後方への横倒し姿勢との間で前後方向に回動可能に構成され、
前記把手機構を前記後方への横倒し姿勢とした場合において、前記コ字状部を構成する前記中央部と前記一対の端部のいずれもが略水平になるように構成されているとともに、
前記把手機構が前記後方への横倒し姿勢とされた状態におてい前記天板を前記コンロ本体に取り付ける際に、前記コ字状部と前記天板とが互いに干渉するように構成されていること
を特徴としている。
【００１５】
本発明のドロップイン式のガスコンロにおいては、
前記把手機構の後方に前記コンロバーナが配設され、
前記後方への横倒し姿勢において、前記コ字状部が前記コンロバーナに当接することにより、前記把手機構が前記後方への横倒し姿勢に保持されるように構成されていることが好ましい。
【００１６】
また、前記把手機構の、前記延出部と前記コ字状部との間には、前記前方への横倒し姿勢において前記コ字状部が前記延出部の上方に位置する態様で屈曲部が形成されていることが好ましい。
【００１７】
また、前記把手機構を前記前方への横倒し姿勢にした状態において、前記コンロバーナに燃料ガスを供給するためのガス供給管が前記コンロバーナに接続されたときに、平面視で前記コ字状部を構成する前記中央部と前記ガス供給管とが交差する領域において、前記中央部が前記ガス供給管よりも上方に位置するように構成されていることが好ましい。
【００１８】
また、前記把手機構の重心が、前記屈曲部を基準として、前記延出部側に位置することが好ましい。
【発明の効果】
【００１９】
本発明のドロップイン式のガスコンロは上述のように構成されており、コ字状部を備えた把手機構が、枢支部に枢支された支軸を中心として、前方への横倒し姿勢と起立姿勢との間、および、起立姿勢と後方への横倒し姿勢との間で前後方向に回動可能に構成され、かつ、把手機構を後方への横倒し姿勢とした場合おいて、コ字状部を構成する中央部と一対の端部（すなわち、三つの辺）のいずれもが略水平になるように構成され、かつ、把手機構が後方への横倒し姿勢とされた状態におてい天板をコンロ本体に取り付ける際に、コ字状部と天板とが互いに干渉するように構成されているので、作業者が、把手機構を前方への横倒し姿勢（天板取付時の位置）に回動させることを失念して、その状態のまま天板をコンロ本体上に設置しようとした場合にも、略水平となったコ字状部を構成する３つの辺（中央部と一対の端部）、すなわち、コ字状部全体が天板と当接（干渉）することになるので、把手機構が天板取付時の位置にないことを確実に認識することが可能で、天板が破損してしまうことを抑制することができる、施工性に優れたドロップイン式のガスコンロを提供することが可能になる。
【００２０】
また、把手機構の後方にコンロバーナが配設され、後方への横倒し姿勢において、コ字状部がコンロバーナに当接することにより、把手機構が後方への横倒し姿勢に保持されるように構成した場合、把手機構を後方に回動させて後方への横倒し姿勢としたときに、コ字状部がコンロバーナに当接することで、さらに下方に回動することが確実に規制されることから、把手機構が前方への横倒し姿勢（天板取付時の位置）にないことを確実に認識することが可能になり、一層施行性に優れたドロップイン式のガスコンロを実現することが可能になる。
【００２１】
また、把手機構の、延出部とコ字状部との間に、前方への横倒し姿勢においてコ字状部が延出部の上方に位置する態様で屈曲部を形成するようにした場合、屈曲部がない場合に比べて、把手機構を横倒し姿勢とした状態で、把手機構のコ字状部が、コンロバーナに燃料ガスを供給するためのガス供給管などの部材を跨ぎ易くなり、大きなスペースを必要とせずに、ガス供給管などの部材と干渉することなく、把手機構を横倒し状態とすることが可能になり、省スペース化を図ることができる。
【００２２】
また、延出部とコ字状部との間に、前方への横倒し姿勢において、延出部に対しコ字状部が上方に位置する態様で屈曲部が形成されているので、例えば、コンロバーナに燃料ガスを供給するためのガス供給管を一旦取り外した後に再度ガス供給管を元の位置に取り付けるような場合に、ガス供給管がコ字状部を構成する中央部の把手の上に位置した状態でガス供給管が取り付けられてしまうことが抑制され、メンテナンス性を向上させることができる。
【００２３】
また、把手機構を前方への横倒し姿勢にした状態においてガス供給管がコンロバーナに接続されたときに、平面視でコ字状部を構成する中央部とガス供給管とが交差する領域において、中央部がガス供給管よりも上方に位置するように構成した場合、例えば、一旦ガス供給管を取り外した後に再度ガス供給管を元の位置に取り付ける際に、ガス供給管が把手機構のコ字状部を構成する中央部の上側に位置してしまうことを確実に抑制することが可能になり、一層メンテナンス性に優れたドロップイン式のガスコンロを実現することが可能になる。
【００２４】
また、把手機構の重心が、屈曲部を基準として、延出部側に位置するように構成した場合、組立工程において、把手機構を、コンロ本体上の把手機構の取り付け予定位置に置いたときに、延出部に比べて把手機構が上方に位置する把手機構の、前方への横倒し姿勢となるので、組立性の良好なドロップイン式のガスコンロを実現することが可能になる。
【図面の簡単な説明】
【００２５】
【図１】本発明の一実施形態にかかるドロップイン式のガスコンロ（天板が取り除かれている）の、把手機構の起立状態を示す斜視図である。
【図２】本発明の一実施形態にかかるガスコンロの外観構成を示す斜視図である。
【図３Ａ】本発明の一実施形態にかかるドロップイン式のガスコンロ（天板が取り除かれている）の、把手機構の起立状態を示す平面図である。
【図３Ｂ】本発明の一実施形態にかかるドロップイン式のガスコンロ（天板が取り除かれている）の把手機構の起立状態を示す、図３ＡのIIIＢ−IIIＢ線に沿う断面図（側断面図）である。
【図４】本発明の一実施形態にかかるドロップイン式のガスコンロ（天板が取り除かれている）の把手機構の前方への横倒し状態を示す斜視図である。
【図５Ａ】本発明の一実施形態にかかるドロップイン式のガスコンロ（天板が取り除かれている）の把手機構の前方への横倒し状態を示す平面図である。
【図５Ｂ】本発明の一実施形態にかかるドロップイン式のガスコンロ（天板が取り除かれている）の把手機構の前方への横倒し状態を示す、図５ＡのＶＢ-ＶＢ線に沿う断面図（側断面図）側断面図である。
【図６】本発明の一実施形態にかかるドロップイン式のガスコンロの把手機構の側面図である。
【図７】本発明の一実施形態にかかるドロップイン式のガスコンロの把手機構の平面図である。
【図８】本発明の一実施形態にかかるドロップイン式のガスコンロ（天板が取り除かれている）の把手機構の後方への横倒し状態を示す斜視図である。
【発明を実施するための形態】
【００２６】
以下、本発明の実施形態を示して、その特徴とするところをさらに詳しく説明する。
【００２７】
＜基本構成＞
図２は、本発明の一実施形態にかかる、キッチンカウンター（キッチン台）に設けられた開口に落とし込んで設置されるドロップイン式のガスコンロＡの外観構成を示す斜視図であり、図１は天板を除いた状態の、本発明の一実施形態にかかるドロップイン式のガスコンロの、把手機構１０の起立状態を示す斜視図である。
なお、このドロップイン式のガスコンロＡは、グリルを備えたグリル付きのガスコンロとして構成されている。
【００２８】
このドロップイン式ガスコンロＡ（以下、単にガスコンロともいう）は、図２に示すように、キッチンカウンターに設けられた開口部（図示せず）に落とし込んで設置されるコンロ本体Ｈを備える。
【００２９】
また、天板１２０上に炎口１１０が位置する態様で、３つのコンロバーナ１０１（詳しくは、高火力バーナ１０１ａ、高火力バーナ１０１ｂ、および小火力バーナ１０１ｃ）が配設されている。
【００３０】
また、コンロ本体Ｈは、各コンロバーナ１０１に燃料ガスを供給するガス供給管２５（２５ａ、２５ｂ、２５ｃ）を備えており、各ガス供給管２５（２５ａ、２５ｂ、２５ｃ）は、それぞれ、高火力バーナ１０１ａ、高火力バーナ１０１ｂ、および小火力バーナ１０１ｃに接続されている（図１、図３Ａ、図３Ｂ、図４、図５Ａ、図５Ｂ参照）。
【００３１】
また、天板１２０上には、上述の高火力バーナ１０１ａ、高火力バーナ１０１ｂ、および小火力バーナ１０１ｃにより加熱される鍋などの被加熱物（調理物）を受け止め、支持するための五徳１０２が載置されている（図２参照）。
【００３２】
なお、本実施形態にかかるガスコンロＡは、グリル部Ｇを備えているが、このグリル部Ｇについての詳細な説明は省略する。
【００３３】
＜特徴的構成＞
本発明のガスコンロＡは、コンロ本体Ｈを吊り下げ支持する際に用いられる把手機構１０を備えており、その構成に特徴を有している。以下、この把手機構１０の構成、および、動作について、詳しく説明する。
【００３４】
本発明のガスコンロＡの把手機構１０は、
（ａ）中央部１１と、中央部１１の両端側から、中央部１１に対して略直交する方向に突出した、互いに平行な一対の端部１２（１２ａ、１２ｂ）とを有するコ字状部２０を備えている（図１、図３Ａ、図３Ｂ、図４、図５Ａ、図５Ｂ、図６、図７、図８参照）。
【００３５】
なお、このコ字状部２０のうちの上記中央部１１が、コンロ本体Ｈを吊り下げ支持する際に取扱者の手によって把持される把持部となる。
【００３６】
（ｂ）また、把手機構１０は、図６、図７に示すように、コ字状部２０を構成する一対の端部１２（１２ａ、１２ｂ）のそれぞれの先端から延出された延出部１３（１３ａ、１３ｂ）を備えている。
【００３７】
（ｃ）さらに、把手機構１０は、図６、図７に示すように、一対の延出部１３（１３ａ、１３ｂ）のそれぞれの自由端である先端側端部１４（１４ａ、１４ｂ）に配設され、コ字状部２０を、延出部１３（１３ａ、１３ｂ）を介して支持する、軸方向がコ字状部２０を構成する中央部１１と平行な一対の支軸１５（１５ａ、１５ｂ）を備えている。
【００３８】
また、コンロ本体Ｈは、一対の支軸１５（１５ａ、１５ｂ）のそれぞれを枢支する一対の枢支部２１（２１ａ、２１ｂ）を備えている。
【００３９】
なお、本実施形態では、高火力バーナ１０１ａ、および、高火力バーナ１０１ｂのそれぞれを支持する、バーナ受け棧３１（３１ａ、３１ｂ）に、左右の枢支部２１（２１ａ、２１ｂ）が形成されている（図１、図３Ａ、図５Ａ参照）。
【００４０】
そして、把手機構１０は、枢支部２１（２１ａ、２１ｂ）に枢支された支軸１５（１５ａ、１５ｂ）を中心として、前方への横倒し姿勢（図４、図５Ａ、図５Ｂ参照）と起立姿勢（図１、図３Ａ、図３Ｂ参照）との間で前後方向に回動可能に構成されている。
【００４１】
さらに、本実施形態のドロップイン式のガスコンロにおいては、把手機構１０が起立姿勢と後方への横倒し姿勢（図８参照）との間でも前後方向に回動可能に構成されている。
【００４２】
そして、本実施形態のドロップイン式のガスコンロにおいては、把手機構１０が後方への横倒し姿勢（図８参照）となったときに、コ字状部２０を構成する中央部１１および、その両側の一対の端部１２（１２ａ、１２ｂ）、すなわち、コ字状部２０を構成する三辺のすべてが、水平となるように構成されている。また、把手機構１０が後方への横倒し姿勢とされた状態において天板１２０をコンロ本体Ｈに取り付けようとすると、コ字状部２０と天板１２０とが互いに干渉するように構成されている。
【００４３】
本実施形態のドロップイン式のガスコンロＡは、上述のように構成されているので、作業者が、把手機構１０を前方への横倒し姿勢（天板取付時の位置）に回動させることを失念して、その状態のまま天板１２０をコンロ本体Ｈ上に設置しようとした場合にも、水平となったコ字状部２０を構成する３つの辺（中央部１１と一対の端部１２）、すなわち、コ字状部２０の全体が天板１２０と当接することになるため、把手機構１０が天板取付時の位置にないことに気付き易くなる。その結果、把手機構１０を後方への横倒し姿勢とした状態で天板１２０をコンロ本体Ｈ上に取り付けようとした場合にも、天板１２０が破損してしまうことを抑制することが可能な、施工性に優れたドロップイン式のガスコンロを提供することができる。
【００４４】
また、本実施形態のドロップイン式ガスコンロＡ１においては、把手機構１０の後方にコンロバーナ１０１（本実施形態では小火力バーナ１０１ｃ）が配設されている（図１、図３Ａ、図３Ｂ、図４、図５Ａ、図５Ｂ、図８参照）。
【００４５】
そして、図８に示すように、把手機構１０を後方に回動させて、後方への横倒し姿勢とした場合において、把手機構１０のコ字状部２０、詳しくはコ字状部２０を構成する中央部１１がコンロバーナ１０１（小火力バーナ１０１ｃ）に当接することにより、把手機構１０が後方への横倒し姿勢に保持されるように構成されている。
【００４６】
上述の構成とした場合、把手機構１０の後方への横倒し姿勢において、把手機構１０を構成するコ字状部２０、詳しくはコ字状部２０を構成する中央部１１が、剛体からなる構造物である小火力バーナ１０１ｃに当接し（図８参照）、堅固に支持されるため、コ字状部２０の下方への移動が確実に規制される。
【００４７】
したがって、把手機構１０が前方への横倒し姿勢（天板取付時の位置）にないこと、すなわち、後方への横倒し姿勢となっていることを確実に認識することが可能になり、一層施行性に優れたドロップイン式のガスコンロを提供することが可能になる。
【００４８】
なお、後方への横倒し姿勢において、把手機構のコ字状部がコンロバーナに支持されるようにした構成は任意の構成であり、かかる構成を備えていない場合にも本発明の基本的な作用効果は奏される。
【００４９】
また、本実施形態においては、延出部１３（１３ａ、１３ｂ）とコ字状部２０との間に、前方への横倒し姿勢（図４、図５Ａ、図５Ｂ参照）において延出部１３（１３ａ、１３ｂ）に対してコ字状部２０が上方に位置する態様で屈曲部１６（１６ａ、１６ｂ）が形成されている（図６、図７参照）。
【００５０】
このように、延出部１３（１３ａ、１３ｂ）とコ字状部２０との間に屈曲部１６（１６ａ、１６ｂ）を形成することにより、屈曲部がない場合に比べて、把手機構１０を横倒し姿勢とした状態で、把手機構１０のコ字状部２０がガス供給管２５ｃを跨ぎ易くなり、大きなスペースを必要とせずに、ガス供給管２５ｃと干渉することなく、把手機構１０を横倒し状態とすることが可能になり、省スペース化を図ることができる（図１、図３Ａ、図３Ｂ、図４、図５Ａ、図５Ｂ参照）。
【００５１】
また、上記構成とすることで、ガス供給管２５ｃがコ字状部２０の下を通過する態様でガス供給管２５ｃを配置することにより、はじめて小火力バーナ１０１（１０１ｃ）にガス供給管２５ｃを接続することが可能になるため、ガス供給管２５ｃがコ字状部２０の上に位置してしまうことを抑制することが可能になり、メンテナンス性に優れたドロップイン式のガスコンロＡを実現することができる。
【００５２】
ただし、上述のように、延出部１３（１３ａ、１３ｂ）とコ字状部２０との間に屈曲部１６（１６ａ、１６ｂ）を形成した構成は、任意の構成であり、屈曲部を備えていない構成とすることも可能である。
【００５３】
また、本実施形態にかかるドロップイン式ガスコンロＡにおいては、把手機構１０を前方への横倒し姿勢にした状態においてガス供給管２５ｃがコンロバーナ（小火力バーナ）１０１（１０１ｃ）に接続されたときに、平面視で把手機構１０のコ字状部２０を構成する中央部１１とガス供給管２５ｃとが交差する領域において、中央部１１がガス供給管２５ｃよりも上方に位置するように構成されている。
【００５４】
このように構成することで、例えば、一旦ガス供給管２５ｃを取り外した後に再度ガス供給管２５ｃを元の位置に取り付ける際に、ガス供給管２５ｃが把手機構１０の上に位置してしまうことをより確実に抑制することが可能になり、一層メンテナンス性に優れたドロップイン式のガスコンロを提供することが可能になる。
【００５５】
ただし、上述のように、把手機構１０を横倒し姿勢にした状態でガス供給管２５ｃがコンロバーナ（小火力バーナ）１０１（１０１ｃ）に接続されたときに、平面視で把手機構１０のコ字状部２０を構成する中央部１１とガス供給管２５ｃとが交差する領域において、中央部１１がガス供給管２５ｃよりも上方に位置するようにした構成は、任意の構成である。
【００５６】
また、本実施形態にかかるドロップイン式ガスコンロＡにおいては、把手機構１０の重心が、屈曲部１６（１６ａ、１６ｂ）を基準として、延出部１３（１３ａ、１３ｂ）側に位置するように構成されている。
【００５７】
このように構成することで、組立工程において、把手機構１０をコンロ本体Ｈの、把手機構１０の取り付け予定位置に置いたときに、延出部１３（１３ａ、１３ｂ）に比べてコ字状部２０が上方に位置する横倒し姿勢となるので、組立工程での作業性に優れたドロップイン式のガスコンロを提供することが可能になる。
【００５８】
なお、把手機構１０の重心が、屈曲部１６（１６ａ、１６ｂ）を基準として、延出部１３（１３ａ、１３ｂ）側に位置するようにした構成は、任意の構成であって本発明に必須の構成ではない。
【００５９】
本発明は、上記実施形態に限定されるものではなく、本発明の範囲内において種々の変形を加えることが可能である。
【符号の説明】
【００６０】
Ａ          ドロップイン式のガスコンロ
Ｇ          グリル部
Ｈ          コンロ本体
１０        把手機構
１１        中央部（把持部）
１２（１２ａ、１２ｂ）            端部
１３（１３ａ、１３ｂ）            延出部
１４（１４ａ、１４ｂ）            先端側端部
１５（１５ａ、１５ｂ）            支軸
１６（１６ａ、１６ｂ）            屈曲部
２０        コ字状部
２１（２１ａ、２１ｂ）            枢支部
２５（２５ａ、２５ｂ、２５ｃ）    ガス供給管
３１（３１ａ、３１ｂ）            バーナ受け棧
１０１      コンロバーナ
１０１ａ、１０１ｂ    高火力バーナ
１０１ｃ    小火力バーナ
１０２      五徳
１１０      炎口
１２０      天板
【図１】
2019190712.tif 000003
【図２】
2019190712.tif 000004
【図３Ａ】
2019190712.tif 000005
【図３Ｂ】
2019190712.tif 000006
【図４】
2019190712.tif 000007
【図５Ａ】
2019190712.tif 000008
【図５Ｂ】
2019190712.tif 000009
【図６】
2019190712.tif 000010
【図７】
2019190712.tif 000011
【図８】
2019190712.tif 000012